(57)【要約】【課題】  受注受付・施設予約・各種案内といった、利用客からの電話に対してシステムが自動的に電話応対を行う自動音声システムを利用する際に、その操作を容易にする。【解決手段】  本ファクシミリ装置は、自動音声システムのサービスを利用した時の操作手順を示す信号パターンを解析する信号パターン解析部と、前記信号パターンを記憶しておくための信号パターン記憶部と、前記信号パターンに関する情報をプリントアウトできる記録部と、前記自動音声システムサービスを再度利用する際、事前に前記信号パターン記憶部に記憶されている信号パターンの操作手順で、自動的に前記自動音声システムに信号を発信する信号発信部と、前記自動音声システムに発信する信号として使用される音声信号の基となる音声を記憶しておくための音声記憶部を具備する。【選択図】        図１
2006279295.tif 000002
【特許請求の範囲】
【請求項１】
発信音により促される操作手順に従って操作される操作部と、
前記発信音と前記操作に対応する操作信号とに関する信号パターン情報を作成する信号パターン解析部と、
前記信号パターン情報を記憶しておくための信号パターン記憶部と
を具備し、
前記操作手順を再度実行する際、前記信号パターン情報に基づいて自動的に前記操作手順を実行することを特徴とする
ファクシミリ装置。
【請求項２】
請求項１に記載のファクシミリ装置において、
前記信号パターン情報に基づいて、操作対象となる装置に前記操作信号を発信する信号発信部を更に具備する
ファクシミリ装置。
【請求項３】
請求項２に記載のファクシミリ装置において、
前記発信音を検出するトーン検出部を更に具備し、
前記トーン検出部が前記発信音を検出した時に、前記信号発信部は前記操作信号を発信する
ファクシミリ装置。
【請求項４】
請求項１乃至３のいずれか一項に記載のファクシミリ装置において、
前記発信音と前記操作信号とを記憶する通話記憶部を更に具備し、
前記信号パターン解析部は、前記信号パターン情報を作成する際、前記通話記憶部に記憶された内容を解析する
ファクシミリ装置。
【請求項５】
請求項１乃至４のいずれか一項に記載のファクシミリ装置において、
前記信号パターン記憶部に記憶されている前記信号パターン情報をプリントアウトできる記録部を更に具備する
ファクシミリ装置。
【請求項６】
請求項１乃至５のいずれか一項に記載のファクシミリ装置において、
前記信号パターン情報は、順番、機能、選択肢の項目を含むリスト形式で示される
ファクシミリ装置。
【請求項７】
請求項１乃至６のいずれか一項に記載のファクシミリ装置において、
前記操作部からの文字入力に基づいて、前記信号パターン情報に前記操作信号の説明を付加する
ファクシミリ装置。
【請求項８】
請求項１乃至７のいずれか一項に記載のファクシミリ装置において、
前記操作部からの文字入力に基づいて、前記信号パターン情報に識別情報を付加する
ファクシミリ装置。
【請求項９】
請求項１乃至８のいずれか一項に記載のファクシミリ装置において、
前記信号パターン記憶部に記憶されている信号パターン情報のうち、どの信号パターン情報を利用するか促すメッセージを表示するための表示部を更に具備する
ファクシミリ装置。
【請求項１０】
請求項１乃至９のいずれか一項に記載のファクシミリ装置において、
前記操作信号として使用される音声信号の基となる音声を記憶しておくための音声記憶部を更に具備する
ファクシミリ装置。
【請求項１１】
発信音により促される操作手順に従って操作が行われた際、前記発信音と前記操作に対応する操作信号とに関する信号パターン情報を作成すること、
前記信号パターン情報を記憶しておくこと、
前記操作手順を再度実行する際、前記信号パターン情報に基づいて自動的に前記操作手順を実行すること
を具備する
操作手順記憶方法。
【請求項１２】
請求項１１に記載の操作手順記憶方法において、
前記信号パターン情報に基づいて、操作対象となる装置に前記操作信号を発信することを更に具備する
操作手順記憶方法。
【請求項１３】
請求項１２に記載の操作手順記憶方法において、
前記操作信号を発信する前に、前記発信音を検出することを更に具備する
操作手順記憶方法。
【請求項１４】
請求項１１乃至１３のいずれか一項に記載の操作手順記憶方法において、
前記発信音と前記操作信号とを記憶すること、
前記信号パターン情報を作成する際、前記記憶された前記発信音と前記操作信号とを解析すること
を更に具備する
操作手順記憶方法。
【請求項１５】
請求項１１乃至１４のいずれか一項に記載の操作手順記憶方法において、
前記記憶されている前記信号パターン情報をプリントアウトすることを更に具備する
操作手順記憶方法。
【請求項１６】
請求項１１乃至１５のいずれか一項に記載の操作手順記憶方法において、
前記信号パターン情報は、順番、機能、選択肢の項目を含むリスト形式で示される
操作手順記憶方法。
【請求項１７】
請求項１１乃至１６のいずれか一項に記載の操作手順記憶方法において、
前記信号パターン情報に前記操作信号の説明を付加することを更に具備する
操作手順記憶方法。
【請求項１８】
請求項１１乃至１７のいずれか一項に記載の操作手順記憶方法において、
前記信号パターン情報に識別情報を付加することを更に具備する
操作手順記憶方法。
【請求項１９】
請求項１１乃至１８のいずれか一項に記載の操作手順記憶方法において、
前記信号パターン記憶部に記憶されている信号パターン情報のうち、どの信号パターン情報を利用するか促すメッセージを表示することを更に具備する
操作手順記憶方法。
【請求項２０】
請求項１１乃至１９のいずれか一項に記載の操作手順記憶方法において、
前記操作信号として使用される音声信号の基となる音声を記憶しておくことを更に具備する
操作手順記憶方法。
【請求項２１】
請求項１１乃至２０のいずれか一項に記載の操作手順記憶方法を、コンピュータに実行させるためのプログラム。
【発明の詳細な説明】
【技術分野】
【０００１】
本発明は、利用客からの電話に対してシステムが自動的に電話応対を行う自動音声システムを利用する際の操作が容易であるファクシミリ装置、操作手順記憶方法、プログラムに関する。
【背景技術】
【０００２】
受注受付・施設予約・各種案内といった、利用客からの電話に対してシステムが自動的に電話応対を行う情報提供装置を始めとする自動音声システムを利用する際、従来のファクシミリ装置や電話機では、その音声による操作説明をユーザー自らが、電話口につきっきりで聞きながら操作する必要があり、非常に時間と手間を要する作業となってしまうという問題点がある。
【０００３】
従来技術として、ファクシミリ情報サービスからユーザが所望するファクシミリ画情報を取得するにあたって、ユーザが提供端末へ発呼したのちスタートキーをオン操作するまでの間に受信するガイダンストーン信号と、ユーザの操作によって送出されるＰＢ（Ｐｕｓｈ  Ｂｕｔｔｏｎ）信号とを操作ステップにそって記憶、登録し、画像取得するまでの操作手順を自動化するファクシミリ装置が知られている（特許文献１参照）。
なお、ＰＢ信号は、電話機からダイヤルした数字を交換機に送る選択信号の１つであり、国際的にはＤＴＭＦ（Ｄｉａｌ  Ｔｏｎｅ  Ｍｕｌｔｉ  Ｆｒｅｑｕｅｎｃｙ）信号と呼ばれている。
【０００４】
前記のファクシミリ装置は、ファクシミリ情報サービス端末に接続して、ユーザが所望するファクシミリ画情報を受信するファクシミリ装置に関する。このファクシミリ装置は、ユーザ操作手順登録時には、ファクシミリ情報サービス端末に接続してからユーザが画情報の受信開始を指令するまでの間に、上記ファクシミリ情報サービス端末から受信するトーン信号と、ユーザ操作に基づくＰＢ信号を検出する。同時に、それらのトーン信号及びＰＢ信号の検出順に、上記ファクシミリ情報サービス端末の操作案内処理ステップ及びユーザ操作ステップをあらわす処理内容情報を作成し、その複数の処理内容情報を作成順に配置する。更に、最終要素として終了コードがセットされるファクシミリ情報サービスアクセス情報テーブルを作成して保存し、ユーザからの指令により、上記ファクシミリ情報サービス端末へ発呼し、当該ファクシミリ情報サービス端末に対応した上記ファクシミリ情報サービスアクセス情報テーブルを参照する。そのファクシミリ情報サービスアクセス情報テーブルに保存されている処理内容情報に基づいて、上記ファクシミリ情報サービス端末との間でファクシミリ画情報の受信のための処理を順次行い、上記ファクシミリ情報サービスアクセス情報テーブルの最終要素を検出する。その結果、上記ファクシミリ情報サービス端末から画情報を受信する受信動作を開始する。
【０００５】
【特許文献１】特開２００２−３３５３８７号公報
【発明の開示】
【発明が解決しようとする課題】
【０００６】
本発明の目的は、自動音声システムのサービスを利用する際、その長い音声ガイダンスを聞くためにユーザーがずっと電話口にいなくても、本ファクシミリ装置が自動的に必要な自動音声操作をすることが可能となるファクシミリ装置、操作手順記憶方法、プログラムを提供することである。
本発明の他の目的は、同じ自動音声システムのサービスを何度も利用する際、その操作方法の概略をプリントアウトしておくことが可能となるファクシミリ装置、操作手順記憶方法、プログラムを提供することである。
【課題を解決するための手段】
【０００７】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【０００８】
本発明のファクシミリ装置（１）は、発信音により促される操作手順に従って操作される操作部（１２）と、前記発信音と前記操作に対応する操作信号とに関する信号パターン情報を作成する信号パターン解析部（１１）と、前記信号パターン情報を記憶しておくための信号パターン記憶部（９）とを具備し、前記操作手順を再度実行する際、前記信号パターン情報に基づいて自動的に前記操作手順を実行することを特徴とする。
【０００９】
本発明のファクシミリ装置（１）は、前記信号パターン情報に基づいて、操作対象となる装置に前記操作信号を発信する信号発信部（４）を更に具備する。
【００１０】
本発明のファクシミリ装置（１）は、前記発信音を検出するトーン検出部（３）を更に具備し、前記トーン検出部（３）が前記発信音を検出した時に、前記信号発信部（４）は前記操作信号を発信する
【００１１】
本発明のファクシミリ装置（１）は、前記発信音と前記操作信号とを記憶する通話記憶部（８）を更に具備し、前記信号パターン解析部（１１）は、前記信号パターン情報を作成する際、前記通話記憶部（８）に記憶された内容を解析する。
【００１２】
本発明のファクシミリ装置（１）は、前記信号パターン記憶部（９）に記憶されている前記信号パターン情報をプリントアウトできる記録部（７）を更に具備する。
【００１３】
前記信号パターン情報は、順番、機能、選択肢の項目を含むリスト形式で示される。
【００１４】
本発明のファクシミリ装置（１）は、前記操作部（１２）からの文字入力に基づいて、前記信号パターン情報に前記操作信号の説明を付加する。
【００１５】
本発明のファクシミリ装置（１）は、前記操作部（１２）からの文字入力に基づいて、前記信号パターン情報に識別情報を付加する。
【００１６】
本発明のファクシミリ装置（１）は、前記信号パターン記憶部（９）に記憶されている信号パターン情報のうち、どの信号パターン情報を利用するか促すメッセージを表示するための表示部（６）を更に具備する。
【００１７】
本発明のファクシミリ装置（１）は、前記操作信号として使用される音声信号の基となる音声を記憶しておくための音声記憶部（１３）を更に具備する。
【００１８】
本発明の操作手順記憶方法は、発信音により促される操作手順に従って操作が行われた際、前記発信音と前記操作に対応する操作信号とに関する信号パターン情報を作成すること、前記信号パターン情報を記憶しておくこと、前記操作手順を再度実行する際、前記信号パターン情報に基づいて自動的に前記操作手順を実行することを具備する。
【００１９】
本発明の操作手順記憶方法は、前記信号パターン情報に基づいて、操作対象となる装置に前記操作信号を発信することを更に具備する。
【００２０】
本発明の操作手順記憶方法は、前記操作信号を発信する前に、前記発信音を検出することを更に具備する。
【００２１】
本発明の操作手順記憶方法は、前記発信音と前記操作信号とを記憶すること、前記信号パターン情報を作成する際、前記記憶された前記発信音と前記操作信号とを解析することを更に具備する。
【００２２】
本発明の操作手順記憶方法は、前記記憶されている前記信号パターン情報をプリントアウトすることを更に具備する。
【００２３】
前記信号パターン情報は、順番、機能、選択肢の項目を含むリスト形式で示される。
【００２４】
本発明の操作手順記憶方法は、前記信号パターン情報に前記操作信号の説明を付加することを更に具備する。
【００２５】
本発明の操作手順記憶方法は、前記信号パターン情報に識別情報を付加することを更に具備する。
【００２６】
本発明の操作手順記憶方法は、前記記憶されている信号パターン情報のうち、どの信号パターン情報を利用するか促すメッセージを表示することを更に具備する。
【００２７】
本発明の操作手順記憶方法は、前記記憶されている信号パターン情報に前記信号に関する説明を付加することが可能である。
【００２８】
本発明の操作手順記憶方法は、前記信号として使用される音声信号の基となる音声を記憶することを更に具備する。
【００２９】
本発明のプログラムは、前記の操作手順記憶方法をコンピュータに実行させるためのプログラムである。
【発明の効果】
【００３０】
第１の効果は、自動音声システムのサービスを最初に利用した際に、その時の操作手順を通話録音し、その操作手順を解析し、その解析した信号パターンを記憶しておき、同じ自動音声システムサービスを再度利用する際、事前に信号パターンを記憶させてある信号パターンの手順で、自動的に自動音声システムに信号を発信することが可能になる。
また、自動音声システムのサービスを最初に利用した際に、その時の操作手順を通話録音し、その操作手順を解析し、その解析した信号パターンを記憶しておき、その内容をリスト形式でプリントアウトすることが可能になる。
【発明を実施するための最良の形態】
【００３１】
以下に、本発明の第１実施形態について添付図面を参照して説明する。
図１に示す通り、本ファクシミリ装置１は、ＮＣＵ（Ｎｅｔｗｏｒｋ  Ｃｏｎｔｒｏｌ  Ｕｎｉｔ）２、トーン検出部３、ＰＢ（Ｐｕｓｈ  Ｂｕｔｔｏｎ）信号発信部４、マイク部５、表示部６、記録部７、通話記憶部８、信号パターン記憶部９、制御部１０、信号パターン解析部１１、操作部１２を具備する。
ＮＣＵ２は、公衆通信網へ本ファクシミリ装置１を接続する時に必要な機器で、通信相手を呼び出すためにダイヤル信号を送出する。トーン検出部３は、自動音声サービスからの発信音を検出する。ＰＢ信号発信部４は、ＰＢ信号を発信する。マイク部５は、ユーザーが音声入力を行うための装置である。表示部６は、メッセージを表示する。記録部７は、受信した情報をプリントアウトする。通話記憶部８は、通話内容を記憶する。信号パターン記憶部９は、信号パターン記憶部を記憶する。制御部１０は、本ファクシミリ装置１内の各部の制御を行う。信号パターン解析部１１は、どのような順番でどのような種類の信号が発信されたかを解析する。操作部１２は、ユーザーが操作を行うための各種操作キーを有する。
【００３２】
図１を参照すると、本ファクシミリ装置１で、自動音声システムのサービスを利用して、契約・施設予約・各種案内情報の取出しを行う際、一番最初の利用の際には、自動音声の導きに従い、ユーザー自らその操作を最後まで行う。その際、制御部１０は、本ファクシミリ装置１の通話記憶部８に、その操作した時の通話内容を通話記憶部８に記憶させておく。
【００３３】
ユーザーが、この音声サービスを再度利用する可能性がある場合、予めその通話記憶部８に記憶させた通話内容を、信号パターン解析部１１で、その通話の中で音声応答システムがＰＢ信号の入力を促す際に発信する発信音、それに従いユーザーが送出したＰＢ信号が、どのような順番でどのような種類の信号が発信されたかを解析する。
【００３４】
そして、その信号パターンを信号パターン記憶部９に記憶し、必要であればその信号パターンのレポートを記録部７からプリントアウトして、通話記憶部に録音された操作手順と間違いがないか確認することもできる。同様に、その信号パターンのレポートを表示部６に表示して、通話記憶部に録音された操作手順と間違いがないか確認することもできる。
【００３５】
次に、再度この自動音声サービスを利用する時には、自動音声サービスに電話をした後、ユーザー自らが自動音声のガイダンスを長々と聞きながら操作を行うことなく、操作部１２にて自動音声システムに本ファクシミリ装置１が自動的に応答するモードにすることで、信号パターン記憶部９に記憶されている信号のパターンの手順に従い、自動音声サービスから発信される発信音をトーン検出部３で検出することをトリガ（ｔｒｉｇｇｅｒ）とし、ＰＢ信号発信部４から必要なＰＢ信号を発信し、ＮＣＵ２を介して自動音声サービスに本ファクシミリ装置が自動的に送出する。
【００３６】
次に、図１の回路の動作について、図２、３、４、５を参照して詳細に説明する。
最初に、受注受付・施設予約・各種案内といった、利用客からの電話に対してシステムが自動的に電話応対を行う自動音声システムの操作手順に関し、ＥＰＧ（Ｅｌｅｃｔｒｏｎｉｃ  Ｐｒｏｇｒａｍ  Ｇｕｉｄｅ）といったテレビ番組スケジュール情報の入手方法を具体例に、簡単に図２を参照して説明する。
【００３７】
本ファクシミリ装置１から、自動音声サービスに電話をする（ステップＳ１０１）。この時、システムが自動音声によりこのサービスの概略を説明し、まず最初に何チャンネルの情報が必要か、そのチャンネルに対応したＰＢ信号を発信するように促すガイダンスが流される（ステップＳ１０２）。自動音声サービスが発信する「ピー」という発信音の後に（ステップＳ１０３）、希望する番組に対応する番号を操作部１２よりテンキーを押下して入力し、制御部１０はＰＢ信号発信部４より、ＮＣＵ２を介してＰＢ信号を送出する（ステップＳ１０４）。
【００３８】
自動音声システム側で入力が確認されると、次に何日の放送の情報が必要か、その日付を入力するように促すガイダンスが流されて（ステップＳ１０５）、発信音が鳴る（ステップＳ１０６）。その発信音の後に、例えば４月１日であれば、「０４０１」とＰＢ信号を送出する（ステップＳ１０７）。
【００３９】
すべての入力が終了すると、入力した内容に間違いがないか確認するガイダンスが流され、正しければＰＢ信号の「１」を発信し、間違いがあれば「２」を発信するよう促す説明が流れる（ステップＳ１０８）。ユーザーはその内容に間違いがなければ、発信音の後に（ステップＳ１０９）、ＰＢ信号の１を発信する（ステップＳ１１０）。それを受信した自動音声サービスは、指定されたチャンネルと日付の番組スケジュール情報をＦＡＸにて送信してくるので、ユーザーは本ファクシミリ装置１の操作部１２のＦＡＸスタートボタンを押下し、そのＦＡＸ情報を受信して終了する（ステップＳ１１１）。
また、その内容に誤りがあった場合には、ＰＢ信号の「２」を発信し（ステップＳ１０９）、再度最初から情報の入力し直しを試みる。
【００４０】
次に、本ファクシミリ装置１を使って、上記の自動音声サービスを再度利用する際の装置設定動作について、図３、４を参照して詳細に説明する。
上記の音声サービスを何度も利用する可能性がある場合、一番最初にユーザー自らが操作した時の通話を、通話記憶部８に記憶させておき、再度このサービスを利用する前に、予めこの記憶させた通話内容を、信号パターン解析部１１にて、自動音声システムからの発信音と、ユーザーが発信したＰＢ信号の操作の流れを解析し、解析結果から信号パターンの情報を作成し、その情報を信号パターン記憶部９に記憶させる。
信号パターン解析部１１は、発信音に対するトーン検出機能とＰＢ信号検出機能とがあり、記憶された通話録音の内容に、それらの信号がどのような順番で発信されたかを抽出し解析する。
【００４１】
上記の具体例の操作手順を、自動音声システムからの発信音と、ユーザーが発信したＰＢ信号の流れで見ると、図３に示す流れになる。
自動音声サービスが発信する「ピー」という発信音の後に（ステップＳ２０１）。希望する番組に対応する番号を操作部１２よりテンキーを押下して入力し、制御部１０はＰＢ信号発信部４より、ＮＣＵ２を介してＰＢ信号を送出する（ステップＳ２０２）。
自動音声システム側で入力が確認されると、次に何日の放送の情報が必要か、その日付を入力するように促すガイダンスが流されて、発信音が鳴る（ステップＳ２０３）。その発信音の後に、例えば４月１日であれば、「０４０１」とＰＢ信号を送出する（ステップＳ２０４）。すべての入力が終了すると、入力した内容に間違いがないか確認するガイダンスが流され、正しければＰＢ信号の「１」を発信し、間違いがあれば「２」を発信するよう促す説明が流れる。ユーザーはその内容に間違いがなければ、発信音の後に（ステップＳ２０５）、ＰＢ信号の１を発信する（ステップＳ２０６）。また、その内容に誤りがあった場合には、ＰＢ信号の「２」を発信し（ステップＳ２０６）、再度最初から情報の入力し直しを試みる。
【００４２】
この段階で信号パターン記憶部９に記憶されている信号パターンは、発信音とＰＢ信号の順番の羅列でしかなく、そのＰＢ信号が何を意味するものかがこのままでは分かりづらい。
このため、それぞれのＰＢ信号が何を意味して出力されたものか、その説明を操作部１２より文字入力し、この信号パターン情報に、その説明を付加する。
そして全ての情報の付加が終了したところで、最後にその信号パターンに「テレビ番組スケジュール操作手順表」といった名前をつけ、この自動音声サービスの電話番号も付加情報として登録し、再度信号パターン記憶部９に記憶させておく。但し、実際には名前や電話番号に限らず、この自動音声サービスを識別することが可能な識別情報を付加情報として登録しても良い。
【００４３】
また、再度この自動音声サービスを利用する際に、操作しやすいように、パターン記憶部９に記憶させたパターンを図４に示すリスト形式で記録部７よりプリントアウトしておくこともできる。同様に、パターン記憶部９に記憶させたパターンを図４に示すリスト形式で表示部６に表示させることもできる。
【００４４】
次に、上記の装置設定の準備ができたファクシミリ装置１で、再度上記の自動音声サービスを利用する際の動作について、図５を参照して詳細に説明する。
【００４５】
本ファクシミリ装置１を操作部１２にて自動音声サービス利用モードに設定する（ステップＳ３０１）。すると、表示部６にて、信号パターン記憶部９に記憶されているどのパターンを利用するか促すメッセージを表示するので、
登録した「テレビ番組スケジュール操作手順」を選択する（ステップＳ３０２）。すると、続いて図４に示す「順番２」のチャンネル番号の選択表示になり、選択肢にあるいくつかのチャンネル番号を選択し、キー入力する（ステップＳ３０３）。次に、図４に示す「順番４」の日にちの入力画面になるので、希望の日にちを入力する（ステップＳ３０４）。更に、図４に示す「順番６」の最終確認の入力画面になるので、「１：正しい」を選択し、キー入力する（ステップＳ３０５）。すべての選択肢の入力が終了すると、自動音声サービスにダイヤルしていいかどうかを確認する画面表示となり（ステップＳ３０６）、ダイヤルする場合はスタートボタンを押すと、自動音声サービスの電話番号が自動発呼され、（ステップＳ３０８）。中止する場合はストップボタン押下で待機状態に戻る（ステップＳ３０７）。
【００４６】
自動音声サービスに電話が接続されると（ステップＳ３０９）、システムが自動音声によりこのサービスの概略を説明し、まず最初に何チャンネルの情報が必要か、自動音声サービスが発信する「ピー」という発信音の後にそのチャンネルに対応したＰＢ信号を入力するように促すガイダンスが流される（ステップＳ３１０）。
【００４７】
本ファクシミリ装置１は、自動音声サービスからの発信音を、トーン検出部３で検出したら（ステップＳ３１１）、ＰＢ信号発信部４より、予め設定されていた希望するチャンネルに対応するＰＢ信号をＮＣＵ２を介して回線に発信する（ステップＳ３１２）。
【００４８】
自動音声サービス側でこのＰＢ信号の入力が確認されると（ステップＳ３１２）、続いて希望する日にちを、自動音声サービスが発信する「ピー」という発信音の後に、ＰＢ信号で入力するように促すガイダンスが流され入力するように促すガイダンスが流される（ステップＳ３１３）。
【００４９】
すると再び、本ファクシミリ装置１は、自動音声サービスからの発信音を、トーン検出部３で検出し（ステップＳ３１４）、ＰＢ信号発信部４より、予め設定されていた希望する日にちをＰＢ信号でＮＣＵ２を介して回線に発信する（ステップＳ３１５）。
【００５０】
自動音声サービス側でこのＰＢ信号の入力が確認されると（ステップＳ３１５）、更に続いてユーザーが入力した内容を確認するアナウンスが流され、内容に間違いがなければＰＢ信号の「１」、誤りがあってやり直す場合にはＰＢ信号の「２」を自動音声サービスが発信する「ピー」という発信音の後に、ＰＢ信号で入力するよう入力するよう促すガイダンスが流される（ステップＳ３１６）。
【００５１】
すると再び、本ファクシミリ装置１は、自動音声サービスからの発信音を、トーン検出部３で検出し（ステップＳ３１７）、ＰＢ信号発信部４より、予め設定されていた「１」を、ＰＢ信号でＮＣＵ２を介して回線に発信する（ステップＳ３１８）。
【００５２】
自動音声サービス側でこのＰＢ信号の入力が確認されると（ステップＳ３１８）、全ての手続きが終了し、入力された希望する日にちの番組情報を、ＦＡＸにて送信してくるので、本ファクシミリ装置１は、その情報を受信し、記録部７より番組情報をプリントアウトする（ステップＳ３１９）。
【００５３】
本発明の第１の効果は、自動音声システムのサービスを利用する際、その長い音声ガイダンスを聞くためにユーザーがずっと電話口にいなくても、本ファクシミリ装置が自動的に必要な自動音声操作をすることが可能となることである。その理由は、自動音声システムのサービスを最初に利用した際に、その時の操作手順を通話録音し、その操作手順を解析し、その解析した信号パターンを記憶しておき、同じ自動音声システムサービスを再度利用する際、事前に信号パターンを記憶させてある信号パターンの手順で、自動的に自動音声システムに信号を発信することが可能なためである。
【００５４】
本発明の第２の効果は、同じ自動音声システムのサービスを何度も利用する際、その操作方法の概略をプリントアウトしておくことが可能となることである。その理由は、自動音声システムのサービスを最初に利用した際に、その時の操作手順を通話録音し、その操作手順を解析し、その解析した信号パターンを記憶しておき、その内容をリスト形式でプリントアウトすることが可能なためである。
【００５５】
次に、本発明の第２実施形態について図面を参照して詳細に説明する。
第２実施形態では、新たに音声記憶部１３が用意されている。
図６に示す通り、本ファクシミリ装置１は、ＮＣＵ２、トーン検出部３、ＰＢ信号発信部４、マイク部５、表示部６、記録部７、通話記憶部８、信号パターン記憶部９、制御部１０、信号パターン解析部１１、操作部１２、音声記憶部１３を具備する。
ＮＣＵ２、トーン検出部３、ＰＢ信号発信部４、マイク部５、表示部６、記録部７、通話記憶部８、信号パターン記憶部９、制御部１０、信号パターン解析部１１及び操作部１２については、第１実施形態と同じである。音声記憶部１３は、マイク部５より入力された音声を記憶する。
【００５６】
図６の回路の動作を、図７〜１０を参照して詳細に説明する。前記の第１実施形態では、自動音声サービスの情報入力にはＰＢ信号だけを利用した例であったが、ここでは音声による入力が必要な場合を例に挙げてその詳細を説明する。
【００５７】
まず最初に、自動音声システムの操作手順に関し、テレビ番組スケジュール情報の入手方法を具体例に、簡単に図７を参照して説明する。
【００５８】
本ファクシミリ装置１から、自動音声サービスに電話をすると（ステップＳ４０１）、システムが自動音声によりこのサービスの概略を説明し、まず最初に何チャンネルの情報が必要か、そのチャンネルに対応したＰＢ信号を発信するように促すガイダンスが流されて（ステップＳ４０２）、自動音声サービスが発信する「ピー」という発信音の後に（ステップＳ４０３）。希望する番組に対応する番号を操作部１２よりテンキーを押下して入力し、制御部１０はＰＢ信号発信部４より、ＮＣＵ２を介してＰＢ信号を送出する（ステップＳ４０４）。
【００５９】
入力が確認されると、次に何日の放送の情報が必要か、その日付を入力するように促すガイダンスが流されて（ステップＳ４０５）、発信音が鳴るので（ステップＳ４０６）、その発信音の後に、例えば４月１日であれば、「０４０１」とＰＢ信号を送出する（ステップＳ４０７）。
【００６０】
すべての入力が終了すると、入力した内容に間違いがないか確認するガイダンスが流され、正しければ音声にて「はい」を、間違いがあれば「いいえ」と答えるように促す説明が流れる（ステップＳ４０８）。ユーザーはその内容に間違いがなければ、発信音の後に（ステップＳ４０９）、マイク部５から「はい」と音声入力し（ステップＳ４１０）、それを受信した自動音声サービスは、指定されたチャンネルと日付の番組スケジュール情報をＦＡＸにて送信してくるので、ユーザーは本ファクシミリ装置１の操作部１２のＦＡＸスタートボタンを押下し、そのＦＡＸを受信して終了する（ステップＳ４１１）。
【００６１】
また、その内容に誤りがあった場合には、マイク部５から「いいえ」と音声入力し（ステップＳ４０９）、再度最初から情報の入力し直しを試みる。
【００６２】
次に、本ファクシミリ装置１を使って、上記の自動音声サービスを再度利用する際の装置設定動作について、図８、９を参照して詳細に説明する。
上記の音声サービスを何度も利用する可能性がある場合、一番最初にユーザー自らが操作した時の通話を、通話記憶部８に記憶させておき、再度このサービスを利用する前に、予めこの記憶させた通話内容を、信号パターン解析部１１にて、自動音声システムからの発信音と、ユーザーが発信したＰＢ信号と、ユーザーが入力した音声の操作の流れを解析し、解析結果から信号パターンの情報を作成し、その情報を信号パターン記憶部９に記憶させる。
信号パターン解析部１１は、発信音に対するトーン検出機能とＰＢ信号検出機能と音声認識機能があり、記憶された通話録音の内容に、それらの信号がどのような順番で発信されたかを抽出し解析する。
【００６３】
上記の具体例の操作手順を、自動音声システムからの発信音と、ユーザーが発信したＰＢ信号と音声の流れで見ると、図８に示す流れになる。
自動音声サービスが発信する「ピー」という発信音の後に（ステップＳ５０１）。希望する番組に対応する番号を操作部１２よりテンキーを押下して入力し、制御部１０はＰＢ信号発信部４より、ＮＣＵ２を介してＰＢ信号を送出する（ステップＳ５０２）。
入力が確認されると、次に何日の放送の情報が必要か、その日付を入力するように促すガイダンスが流されて発信音が鳴るので（ステップＳ５０３）、その発信音の後に、例えば４月１日であれば、「０４０１」とＰＢ信号を送出する（ステップＳ５０４）。
すべての入力が終了すると、入力した内容に間違いがないか確認するガイダンスが流され、正しければ音声にて「はい」を、間違いがあれば「いいえ」と答えるように促す説明が流れる。ユーザーはその内容に間違いがなければ、発信音の後に（ステップＳ５０５）、マイク部５から「はい」と音声入力する（ステップＳ５０６）。また、その内容に誤りがあった場合には、マイク部５から「いいえ」と音声入力し（ステップＳ５０６）、再度最初から情報の入力し直しを試みる。
【００６４】
この段階で信号パターン記憶部９に記憶されている信号パターンは、発信音とＰＢ信号と音声の順番の羅列でしかなく、それらの信号が何を意味するものかがこのままでは分かりづらい。
【００６５】
このため、それぞれの信号が何を意味して出力されたものか、その説明を操作部１２より文字入力し、この信号パターン情報に、その説明を付加する。
【００６６】
そして全ての情報の付加が終了したところで、最後にその信号パターンに「テレビ番組スケジュール操作手順表」といった名前をつけ、この自動音声サービスの電話番号も付加情報として登録し、再度信号パターン記憶部９に記憶させておく。
【００６７】
また、再度この自動音声サービスを利用する際に、操作しやすいように、パターン記憶部９に記憶させたパターンを図９に示すリスト形式で記録部７よりプリントアウトしておくこともできる。同様に、パターン記憶部９に記憶させたパターンを図９に示すリスト形式で表示部６に表示させることもできる。
【００６８】
そして、「はい」「いいえ」といった音声入力が必要な場合のために、事前にマイク部５よりその音声をそれぞれ入力し、音声記憶部１３に記憶させておく。
【００６９】
次に、上記の装置設定の準備ができたファクシミリ装置１で、再度上記の自動音声サービスを利用する際の動作について、図１０を参照して詳細に説明する。
【００７０】
本ファクシミリ装置１を操作部１２にて自動音声サービス利用モードに設定する（ステップＳ６０１）。すると、表示部６にて、信号パターン記憶部９に記憶されているどのパターンを利用するか促すメッセージを表示するので、先程登録した「テレビ番組スケジュール操作手順」を選択する（ステップＳ６０２）。すると、続いて図９に示す「順番２」のチャンネル番号の選択表示になり、選択肢にあるいくつかのチャンネル番号を選択し、キー入力する（ステップＳ６０３）。次に、図９に示す「順番４」の日にちの入力画面になるので、希望の日にちを入力する（ステップＳ６０４）。更に、図９に示す「順番６」の最終確認の入力画面になるので、「１：はい」を選択し、キー入力する（ステップＳ６０５）。すべての選択肢の入力が終了すると、自動音声サービスにダイヤルしていいかどうかを確認する画面表示となり（ステップＳ６０６）、ダイヤルする場合はスタートボタンを押すと、自動音声サービスの電話番号が自動発呼され、（ステップＳ６０８）。中止する場合はストップボタン押下で待機状態に戻る（ステップＳ６０７）。
【００７１】
自動音声サービスに電話が接続されると（ステップＳ６０９）、システムが自動音声によりこのサービスの概略を説明し、まず最初に何チャンネルの情報が必要か、自動音声サービスが発信する「ピー」という発信音の後にそのチャンネルに対応したＰＢ信号を入力するように促すガイダンスが流される（ステップＳ６１０）。
【００７２】
本ファクシミリ装置１は、自動音声サービスからの発信音を、トーン検出部３で検出したら（ステップＳ６１１）、ＰＢ信号発信部４より、予め設定されていた希望するチャンネルに対応するＰＢ信号をＮＣＵ２を介して回線に発信する（ステップＳ６１２）。
【００７３】
自動音声サービス側でこのＰＢ信号の入力が確認されると（ステップＳ６１２）、続いて希望する日にちを、自動音声サービスが発信する「ピー」という発信音の後に、ＰＢ信号で入力するように促すガイダンスが流され入力するように促すガイダンスが流される（ステップＳ６１３）。
【００７４】
すると再び、本ファクシミリ装置１は、自動音声サービスからの発信音を、トーン検出部３で検出し（ステップＳ６１４）、ＰＢ信号発信部４より、予め設定されていた希望する日にちをＰＢ信号でＮＣＵ２を介して回線に発信する（ステップＳ６１５）。
【００７５】
自動音声サービス側でこのＰＢ信号の入力が確認されると（ステップＳ６１５）、更に続いてユーザーが入力した内容を確認するアナウンスが流され、内容に間違いがなければ「はい」、誤りがあってやり直す場合にはＰ「いいえ」と、自動音声サービスが発信する「ピー」という発信音の後に、音声で入力するよう入力するよう促すガイダンスが流される（ステップＳ６１６）。
【００７６】
すると再び、本ファクシミリ装置１は、自動音声サービスからの発信音を、トーン検出部３で検出し（ステップＳ６１７）、予め設定されていた「はい」を、音声記憶部１３から取出し、ＮＣＵ２を介して回線に送出する（ステップＳ６１８）。
【００７７】
自動音声サービス側でこの音声の入力が確認されると（ステップＳ６１８）、全ての手続きが終了し、入力された希望する日にちの番組情報を、ＦＡＸにて送信してくるので、本ファクシミリ装置１は、その情報を受信し、記録部７より番組情報をプリントアウトする（ステップＳ６１９）。
【００７８】
なお、本ファクシミリ装置として、前記の動作を行うためのプログラムを備えたコンピュータを用いても良い。このコンピュータは音声通話機能を有し、ＮＣＵを内蔵するモデムを搭載しており、記録部として用いるプリンターに接続されている。
【００７９】
本願発明では、一度通話記憶部に録音した情報を基に、操作手順を解析し、その解析した信号パターンを信号パターン記憶部に記憶させている。そして、発信音のトーンや、ＰＢ信号が、どのような種類のものがあり、サービスの情報の種類として、どのような選択肢があるかの情報を、ユーザーが通話録音の内容から確認し、その情報をパターン記憶部の、操作手順のパターンの情報に付加させることが可能なため、一度だけユーザー自らがその情報サービスの操作手順を行えば、違う選択肢の情報が欲しくなった場合でも、再度その操作手順を装置に記憶させるための操作を必要とすることなく、装置が自動的に情報サービスから情報を得るよう、動作させることが可能となる。
また、その操作手順の情報を、信号パターン記憶部に記憶させ、それを図４や図９のようなフォーマットでプリントアウトできることで、多種ある選択肢の操作手順も、容易にガイドとして利用することができ、情報サービスの利用を簡単にすることができる。
【００８０】
更に、本願発明では、例えばテレビ番組情報を入手したい場合には、どのチャンネルの情報が欲しいのか、いつの時間帯の情報が欲しいのかといった細かい選択肢の内容に関しても、事前にその情報をパターン記憶部の操作手順のパターンの情報に付加させることが可能である。これにより、情報が欲しくなった時にその欲しい情報を得る操作手順で装置を動作させることができるため、容易に情報サービスから情報を得ることが可能となる。
【００８１】
以上のように、本ファクシミリ装置は、自動音声システムのサービスを利用する際、その時の操作手順を通話録音し、その操作手順を解析することと、その解析した信号パターンを信号パターン記憶部に記憶しておくことが可能である。そして、信号パターン記憶部に記憶させた情報をプリントアウトできる。また、同じ自動音声システムサービスを再度利用する際、事前に信号パターン記憶部に記憶させてある信号パターンの手順で、自動的に自動音声システムに信号を発信する。更に、自動音声システムに発信する信号の中に、トーン信号以外に、「はい」「いいえ」といった音声信号が必要となる場合に、予めその音声を記憶させておくことが可能である。
【図面の簡単な説明】
【００８２】
【図１】図１は、本発明の第１実施形態を示すブロック図である。
【図２】図２は、一番最初の利用の際の動作を示すフローチャートである。
【図３】図３は、自動音声システムからの発信音と、ユーザーが発信したＰＢ信号の流れを示す図である。
【図４】図４は、信号パターンをリスト形式で表したものの例を示す図である。
【図５】図５は、装置設定の準備した後に自動音声サービスを利用する際の動作を示すフローチャートである。
【図６】図６は、本発明の第２実施形態を示すブロック図である。
【図７】図７は、一番最初の利用の際の動作を示すフローチャートである。
【図８】図８は、自動音声システムからの発信音と、ユーザーが発信したＰＢ信号の流れを示す図である。
【図９】図９は、信号パターンをリスト形式で表したものの例を示す図である。
【図１０】図１０は、装置設定の準備した後に自動音声サービスを利用する際の動作を示すフローチャートである。
【符号の説明】
【００８３】
１…  ファクシミリ装置
２…  ＮＣＵ
３…  トーン検出部
４…  ＰＢ信号発信部
５…  マイク部
６…  表示部
７…  記録部
８…  通話記憶部
９…  信号パターン記憶部
１０…  制御部
１１…  信号パターン解析部
１２…  操作部
１３…  音声記憶部
【図１】
2006279295.tif 000003
【図２】
2006279295.tif 000004
【図３】
2006279295.tif 000005
【図４】
2006279295.tif 000006
【図５】
2006279295.tif 000007
【図６】
2006279295.tif 000008
【図７】
2006279295.tif 000009
【図８】
2006279295.tif 000010
【図９】
2006279295.tif 000011
【図１０】
2006279295.tif 000012